(57)【特許請求の範囲】
【請求項１】
両端部に結合金具を有する消防用ホースを巻き取った丸巻きホースの外周面に巻き付け、該丸巻きホースを結束する消防用ホース結束具において、
前記丸巻きホースの外周面に巻き付けられる帯紐形状を有した結束具本体と、
該結束具本体の一端部に連結された第１の係止部材と、
前記結束具本体の他端部に連結され、前記第１の係止部材に係止される第２の係止部材と、
前記結束具本体に設けられ、前記丸巻きホースの外周面と連続する一方の結合金具またはその付近を、常時、前記丸巻きホースの巻き付け方向に引っ張る締め付け部材とを備え、
前記結束具本体の一部には、前記丸巻きホースの外周部を該丸巻きホースの両側方から挟持可能な弾性変形しない環状の紐が設けられた消防用ホース結束具。
【請求項２】
前記丸巻きホースは、両端部に結合金具を有した消防用ホースを長さ方向の中間点付近から二重折りし、一方の結合金具を外側に配置し、他方の結合金具を内側に配置して巻き取ったもので、
前記環状の紐は、一方の結合金具より丸巻きホースの巻き付け側と、他方の結合金具より丸巻きホースの巻き付け側とは反対側とに、それぞれ配置される請求項１に記載の消防用ホース結束具。
【請求項３】
両端部に結合金具を有する消防用ホースを巻き取った丸巻きホースの外周面に巻き付け、該丸巻きホースを結束する消防用ホース結束具において、
前記丸巻きホースの外周面に巻き付けられる帯紐形状を有した結束具本体と、
該結束具本体の一端部に連結された第１の係止部材と、
前記結束具本体の他端部に連結され、前記第１の係止部材に係止される第２の係止部材と、
前記結束具本体に設けられ、前記丸巻きホースの外周面と連続する一方の結合金具またはその付近を、常時、前記丸巻きホースの巻き付け方向に引っ張る弾性部材とを備え、
前記弾性部材は、前記丸巻きホースの外周部を、該丸巻きホースの両側方から挟持可能な輪ゴムである消防用ホース結束具。
【請求項４】
前記丸巻きホースは、両端部に結合金具を有した消防用ホースを長さ方向の中間点付近から二重折りし、一方の結合金具を外側に配置し、他方の結合金具を内側に配置して巻き取ったもので、
前記弾性部材は、一方の結合金具より丸巻きホースの巻き付け側と、他方の結合金具より丸巻きホースの巻き付け側とは反対側とに、それぞれ配置される請求項１に記載の消防用ホース結束具。
【請求項５】
両端部に結合金具を有した消防用ホースを長さ方向の中間点付近から二重折りし、一方の結合金具を外側に配置し、他方の結合金具を内側に配置して巻き取った丸巻きホースの外周面に巻き付け、該丸巻きホースを結束する消防用ホース結束具において、
前記丸巻きホースの外周面に巻き付けられる帯紐形状を有した結束具本体と、
該結束具本体の一端部に連結され、前記一方の結合金具に掛止される第１の金具掛止部材と、
前記丸巻きホースの直径方向の外側から、該丸巻きホースのうち、一方の結合金具との連通部付近を介して、前記他方の結合金具に掛止される第２の金具掛止部材と、
前記結束具本体に設けられ、前記一方の結合金具を、常時、前記丸巻きホースの巻き付け方向に引っ張る締め付け部材とを備え、
前記結束具本体の一部には、前記丸巻きホースの外周部を該丸巻きホースの両側方から挟持可能な弾性変形しない環状の紐が設けられた消防用ホース結束具。
【請求項６】
両端部に結合金具を有した消防用ホースを長さ方向の中間点付近から二重折りし、一方の結合金具を外側に配置し、他方の結合金具を内側に配置して巻き取った丸巻きホースの外周面に巻き付け、該丸巻きホースを結束する消防用ホース結束具において、
前記丸巻きホースの外周面に巻き付けられる帯紐形状を有した結束具本体と、
該結束具本体の一端部に連結され、前記一方の結合金具に掛止される第１の金具掛止部材と、
前記丸巻きホースの直径方向の外側から、該丸巻きホースのうち、一方の結合金具との連通部付近を介して、前記他方の結合金具に掛止される第２の金具掛止部材と、
前記結束具本体に設けられ、前記一方の結合金具を、常時、前記丸巻きホースの巻き付け方向に引っ張る弾性部材とを備え、
前記弾性部材は、前記丸巻きホースの外周部を、該丸巻きホースの両側方から挟持可能な輪ゴムである消防用ホース結束具。
【発明の詳細な説明】
【技術分野】
【０００１】
この発明は消防用ホース結束具、詳しくはホースの口径が異なる丸巻きホースに対応可能で、かつ運搬時の振動などによりホースの巻き付け形状が崩れ難い消防用ホース結束具に関する。
【背景技術】
【０００２】
消防用ホースを長さ方向の中間点付近から二重折りして巻き取った二重巻きホース（丸巻きホース）を結束する消防用ホース結束具が知られている。二重巻きホースでは、消防用ホースの両端部に連通された結合金具（雄側金具および雌側金具）が、二重巻きホースの外周側にそれぞれ配置される。ちなみに、一重巻きホースでは、結合金具のうちの一方の金具がホース巻芯側に配置され、他方の金具がホース外周側に配置される。
従来の消防用ホース結束具としては、例えば非特許文献１に記載された合成皮革製のバンド（以下、革バンド）が知られている。その他、自動車の廃棄タイヤの一部分を所定の幅で輪切りにしたゴムチューブの輪切り品などが知られている。
【０００３】
革バンドおよびゴムチューブ製の消防用ホース結束具の使用方法は、外部露出された方の金具の元部と、ホース巻芯部とを結ぶ直径方向から二重巻きホースを締め付ける。
【非特許文献１】桜護謨株式会社、２００２年２月２０日発行、サクラ防火機器総合カタログ、ホース周辺部品１−３１
【発明の開示】
【発明が解決しようとする課題】
【０００４】
しかしながら、非特許文献１の消防用ホース結束具においては、このようにゴム材に比べて伸縮性が劣る革バンドにより、二重巻きホースをその直径方向から結束していた。そのため、二重巻きホースの結束作業およびその結束解除作業が面倒であった。
また、国内で使用される消防用ホースには、呼称口径が４０ｍｍ、５０ｍｍ、６５ｍｍという３種類の異径ホースが存在する。なお、特殊ホースとして７５ｍｍも知られている。ホース長さは、何れも２０ｍ程度が主流である。そのため、各呼称口径の消防用ホース毎に、二重巻きホースの直径も、汎用される呼称口径４０〜６５ｍｍの消防用ホースの間で１０ｃｍ程度異なる。その結果、伸縮性が劣る革バンド製の消防用ホース結束具では、これらの３種類の二重巻きホースに対処することができなった。
【０００５】
一方、従来のゴムチューブ製の消防用ホース結束具の場合には、消防車に搭載して火災現場に急行中、単なるゴム製であることから走行時の振動などにより、二重巻きホースの結束が緩むおそれがあった。しかも、直径方向を除く方向からの引っ張り力に対して、ホース結束の維持性が劣っていた。
また、ゴムチューブ製の消防用ホース結束具は、前記革バンド製のものより異径ホースに対しての適応性に優れている。しかしながら、ゴムチューブは、基本的に自動車用のタイヤチューブを輪切りにしただけである。そのため、チューブの長さを調整する機能を有していない。これにより、大小３種類の異径の二重巻きホースに対して、正確に長さ調整を行うことができなかった。
その結果、例えば消防用ホースの呼称口径が小さい（４０ｍｍ）二重巻きホースを結束するときには、ホースの締め付け力が低下し、例えば消防車による運搬時に、二重巻きホースの巻き付け形状が崩れ易かった。具体的には、ホース外周部がホース巻芯部から斜めに位置ずれしたり、結合金具が正しいホース外周位置から横ずれするおそれがあった。
【０００６】
ところで、火災現場などで二重巻きホースを延長する場合には、まず消防士（作業者）が屈み込み、地面に二重巻きホースを載置し、消防用ホースの雌側金具付近を片足で踏む。この状態のまま、消防士は両手で雄側金具付近を握り、その後、上体を後ろに反らすように雄側金具を一気に引き上げ、二重巻きホースを前方に押し出す。こうして二重巻きホースは、地面を転がりながら延長される。そのため、以下の課題が発生していた。
(1) 延長時、消防士は防火ヘルメットを被って下向きの姿勢を強いられる。その結果、防火ヘルメットのしころ（庇）が消防士の視界を狭め、周辺の安全確認を十分に行うことができなかった。
(2) また、重量が嵩む呼吸器などを消防士が装着している場合には、完全防備の装いのまま屈み込んで二重巻きホースを地面に載置する動作、その姿勢から上体を起き上がらせるホース押し出しの動作などが、腰に大きな負担をかけていた。
(3) しかも、これらの二重巻きホースの載置やホース押し出しは、迅速さを要求されるホースの延長作業において、効率の良い作業とは言えなかった。
【０００７】
そこで、この発明は、ホースの口径が異なる丸巻きホースに対応可能で、かつ運搬時の振動などによりホースの巻き付け形状が崩れ難い消防用ホース結束具を提供することを目的としている。
この発明は、安全、確実かつ迅速に立ち姿勢によるホース延長を行うことができる消防用ホース結束具を提供することを目的としている。
この発明は、弾性部材による結束具本体の伸縮では対応できないほど長さが異なる丸巻きホースでも対処が可能で、また島田折りホースを結束することもできる消防用ホース結束具を提供することを目的としている。
この発明は、丸巻きホースの外周部の横崩れを防止することができる消防用ホース結束具を提供することを目的としている。
この発明は、運搬時の振動などに対してホースの巻き付け形状がさらに崩れ難いとともに、丸巻きホースの外周部の横崩れをさらに防ぐことができる消防用ホース結束具を提供することを目的としている。
この発明は、片手でありながら、立ち姿勢で安全、確実かつ迅速にホース延長を行うことができる消防用ホース結束具を提供することを目的としている。
この発明は、丸巻きホースの周方向からの結束だけでなく、丸巻きホースの直径方向からの結束も可能な消防用ホース結束具を提供することを目的としている。
この発明は、丸巻きホースの結束の自由度が大きい消防用ホース結束具を提供することを目的としている。
【課題を解決するための手段】
【０００８】
請求項１に記載の発明は、両端部に結合金具を有する消防用ホースを巻き取った丸巻きホースの外周面に巻き付け、該丸巻きホースを結束する消防用ホース結束具において、前記丸巻きホースの外周面に巻き付けられる帯紐形状を有した結束具本体と、該結束具本体の一端部に連結された第１の係止部材と、前記結束具本体の他端部に連結され、前記第１の係止部材に係止される第２の係止部材と、前記結束具本体に設けられ、前記丸巻きホースの外周面と連続する一方の結合金具またはその付近を、常時、前記丸巻きホースの巻き付け方向に引っ張る締め付け部材とを備え、前記結束具本体の一部には、前記丸巻きホースの外周部を該丸巻きホースの両側方から挟持可能な弾性変形しない環状の紐が設けられた消防用ホース結束具である。
【０００９】
請求項１に記載の発明によれば、丸巻きホースの外周面に結束具本体を巻き付け、第１の係止部材と第２の係止部材とを係止することで、丸巻きホースへの結束具本体の巻き付け状態を保持する。このとき、締め付け部材を介して、丸巻きホースの外周面と連続する結合金具が、常時、丸巻きホースの巻き付け方向に引っ張られる。これにより、運搬時の振動などによりホースの巻き付け形状が崩れ難い。
また、結束具本体は、締め付け部材により長さ可変に構成したので、大径な丸巻きホースでも、小径な丸巻きホースでも良好に結束することができる。
丸巻きホースの外周部を、丸巻きホースの両側方から、弾性変形しない環状の紐により挟持するので、運搬時の振動などに対してホースの巻き付け形状がさらに崩れ難いとともに、丸巻きホースの外周部の横崩れをさらに防ぐことができる。
なお、消防用ホース結束具は、丸巻きホースの周方向からだけではなく、丸巻きホースの直径方向からの結束も可能である。
【００１０】
結合金具の素材、形状、大きさは限定されない。互いに嵌合可能な１対の雄側金具と雌側金具とからなるものでもよい。また、雄側金具、雌側金具の区別がなく、雄雌嵌合部が混在した結合金具でもよい。
消防用ホースの素材は限定されない。例えば、ゴム内張りのホースでもよいし、樹脂内張りのホースでもよい。
消防用ホースの口径は限定されない。例えば、汎用される呼称口径４０ｍｍ、５０ｍｍ、６５ｍｍでもよい。また、特殊な７５ｍｍでもよい。
消防用ホースの長さは限定されない。例えば、１０〜２０ｍのものでもよい。
【００１１】
丸巻きホースの種類は限定されない。例えば、二重巻きホースでもよいし、一重巻きホースでもよい。
丸巻きホースの直径および外周長さは限定されない。使用される消防用ホースの口径と長さとにより決定される。例えば、外径３５〜４５ｃｍ、外周長さ１１０〜１４０ｃｍである。
結束具本体は帯形状でもよいし、紐形状でもよい。
結束具本体の素材としては、例えば布帛（織布、不織布、編布）、各種の合成樹脂シート、金属薄板などを採用することができる。また、廃棄された消防用ホースを所定長さの短冊状にカットしたものを採用してもよい。その場合、廃棄された消防用ホースのゴム張り面（内面）を、丸巻きホースの外周面に当接させれば、ホース結束時、丸巻きホースの外周面と結束具本体の内面との摩擦抵抗が大きくなり、ホース結束後の消防用ホース結束具のずれが防止される。なお、廃棄された消防用ホース製ではない結束具本体の場合でも、丸巻きホースの外周面との接触側の面にゴム張りまたは合成樹脂張りを施してもよい。
結束具本体は、複数の部分本体により構成してもよい。その際、隣接する部分本体と部分本体とを、対応する係止部材同士を係止して連結し、結束具本体を組み立てる。これにより、弾性部材による結束具本体の伸縮では対応できないほど長さが異なる丸巻きホースでも、対処することができる。また、綴れ折りされた島田折りホースにも対応することができる。
【００１２】
部分本体の素材は、結束具本体と同じ素材を採用することができる。
部分本体の形状としては、例えば帯形状、紐形状を採用することができる。
結束具本体の部分本体への分割数は限定されない。２つでも３つ以上でもよい。
第３の係止部材および第４の係止部材の種類としては、例えば第１の係止部材および第２の係止部材に利用されたものを採用することができる。
【００１３】
第１の係止部材および第２の係止部材の種類は限定されない。例えば、各種のバックル、ホック、面状ファスナなどを採用することができる。また、例えば第１の係止部材および第２の係止部材の少なくとも１つに把手を設けると、把手を介して、係合状態の両係止部材を確実に握ることができる。その結果、ホース延長時において、両係止部材の係止状態を正しいタイミングで解除することができる。
両係止部材の結束具本体の長さ方向における取り付け位置は限定されない。例えば、結合金具を基準として、その丸巻きホースの巻き付け側でもよいし、この丸巻きホースの巻き付け側とは反対側でもよい。
丸巻きホースの外周面と連続する一方の結合金具とは、例えば、内側の結合金具と外側の結合金具とが重なり状態で巻き取られる二重巻きホースの場合には、外部露出される外側配置の結合金具をいう。この一方の結合金具は、一重巻きホースの場合でも外側配置の結合金具となる。
丸巻きホースの巻き付け方向とは、消防用ホースが丸巻きホースに順次巻き取られていく方向をいう。
【００１４】
弾性部材としては、例えばゴム（合成ゴムを含む）部材、各種の軟質合成樹脂からなるスポンジなどを採用することができる。その他、コイルばね、板ばね、線状ばねなどの各種のばねを採用することができる。
弾性部材は、糸状または紐状として結束具本体の一部に織り込んでもよい。この場合には、消防用ホース結束具による丸巻きホースの結束力を繊細に制御することができる。
また、弾性部材を結束具本体とは別体とし、結束具本体の一部分に連結してもよい。この場合、弾性部材の形状は限定されない。例えば、弾性部材は紐形状（環状を含む）でもよいし、帯形状でもよい。
【００１５】
弾性部材の弾性強度を高め、伸長前後での弾性部材の長さの差を小さくすれば、丸巻きホースを結束した状態での搬送時、または吊り下げ作業時および吊り上げ作業時に、結束具本体の緩みを最小限にすることができる。結束具本体（両係止部材を含む）の所定位置に把手を付けると、丸巻きホースの吊り下げ作業や吊り上げ作業が容易になる。把手の素材は限定されない。例えば、布帛、金属などを採用することができる。把手の取り付け数は１つでもよいし、複数でもよい。
弾性部材の結束具本体における形成位置は限定されない。ただし、丸巻きホースの外周面と連続する結合金具を、常時、丸巻きホースの巻き付け方向に引っ張ることができる位置でなければならない。
【００１６】
また、例えば弾性部材を用いて、丸巻きホースの外周部を、丸巻きホースの両側方から挟持可能とし、結束具本体には、弾性部材より弾性力が小さく、かつ丸巻きホースの外周部を両側方から挟持可能な弱弾性部材を設け、ホース結束時には、弾性部材が、一方の結合金具より丸巻きホースの巻き付け側に配置されるとともに、この結合金具より丸巻きホースの巻き付け側とは反対側に、弱弾性部材が配置されるように構成してもよい。
この場合、ホース結束時には、弾性力の大きい弾性部材が、丸巻きホースの外周面と連続する結合金具より丸巻きホースの巻き付け側に配置される一方、この結合金具を中心として丸巻きホースの巻き付け側とは反対側に、弾性力の小さい弱弾性部材が配置される。しかも、両弾性部材が、丸巻きホースの外周部を両側方から挟持するので、運搬時の振動などに対してホースの巻き付け形状がさらに崩れ難いとともに、丸巻きホースの外周部の横崩れをさらに防ぐことができる。ホース結束時、仮に弾性部材より弱弾性部材の弾性力が大きくなると、丸巻きホースの巻き付け強度が低下し、丸巻きホースの型崩れが発生し易い。
【００１７】
弱弾性部材とは、弾性力が弾性部材より小さいだけで、その素材、形状は弾性部材と同じものを採用することができる。もちろん、弾性部材とは異なる素材、異なる形状を採用してもよい。
弱弾性部材の結束具本体における形成位置は限定されない。ただし、丸巻きホースの外周面と連続する結合金具を、常時、丸巻きホースの周方向において、弾性部材とは反対方向に引っ張ることができる位置でなければならない。
弱弾性部材が丸巻きホースの外周部を両側方から挟持可能とは、弱弾性部材の弾性力により、丸巻きホースの外周部を両側方から挟み込めることをいう。
【００１８】
締め付け部材の構造は、丸巻きホースの外周面と連続する結合金具を、常時、丸巻きホースの巻き付け方向に引っ張ることができれば限定されない。例えば、バックル付きのベルトまたは面状ファスナ付きのベルトなどを採用することができる。
また、丸巻きホースの外周面と連続する結合金具を、丸巻きホースの巻き付け方向に引っ張るのは、弾性部材だけでもよいし、締め付け部材だけでもよい。さらには、弾性部材と締め付け部材との両方でもよい。
【００１９】
請求項２に記載の発明は、前記丸巻きホースは、両端部に結合金具を有した消防用ホースを長さ方向の中間点付近から二重折りし、一方の結合金具を外側に配置し、他方の結合金具を内側に配置して巻き取ったもので、前記環状の紐は、一方の結合金具より丸巻きホースの巻き付け側と、他方の結合金具より丸巻きホースの巻き付け側とは反対側とに、それぞれ配置される請求項１に記載の消防用ホース結束具である。
【００２０】
請求項３に記載の発明は、両端部に結合金具を有する消防用ホースを巻き取った丸巻きホースの外周面に巻き付け、該丸巻きホースを結束する消防用ホース結束具において、前記丸巻きホースの外周面に巻き付けられる帯紐形状を有した結束具本体と、該結束具本体の一端部に連結された第１の係止部材と、前記結束具本体の他端部に連結され、前記第１の係止部材に係止される第２の係止部材と、前記結束具本体に設けられ、前記丸巻きホースの外周面と連続する一方の結合金具またはその付近を、常時、前記丸巻きホースの巻き付け方向に引っ張る弾性部材とを備え、前記弾性部材は、前記丸巻きホースの外周部を、該丸巻きホースの両側方から挟持可能な輪ゴムである消防用ホース結束具である。
【００２１】
請求項３に記載の発明によれば、丸巻きホースの外周面に結束具本体を巻き付け、第１の係止部材と第２の係止部材とを係止することで、丸巻きホースへの結束具本体の巻き付け状態を保持する。このとき、弾性部材を介して、丸巻きホースの外周面と連続する結合金具が、常時、丸巻きホースの巻き付け方向に引っ張られる。これにより、運搬時の振動などによりホースの巻き付け形状が崩れ難い。
また、結束具本体は、弾性部材により長さ可変に構成したので、大径な丸巻きホースでも、小径な丸巻きホースでも良好に結束することができる。
丸巻きホースの外周部を、丸巻きホースの両側方から弾性部材（輪ゴム）により挟持するので、運搬時の振動などに対してホースの巻き付け形状がさらに崩れ難いとともに、丸巻きホースの外周部の横崩れをさらに防ぐことができる。
【００２２】
請求項４に記載の発明は、前記丸巻きホースは、両端部に結合金具を有した消防用ホースを長さ方向の中間点付近から二重折りし、一方の結合金具を外側に配置し、他方の結合金具を内側に配置して巻き取ったもので、前記弾性部材は、一方の結合金具より丸巻きホースの巻き付け側と、他方の結合金具より丸巻きホースの巻き付け側とは反対側とに、それぞれ配置される請求項１に記載の消防用ホース結束具である。
【００２３】
請求項５に記載の発明は、両端部に結合金具を有した消防用ホースを長さ方向の中間点付近から二重折りし、一方の結合金具を外側に配置し、他方の結合金具を内側に配置して巻き取った丸巻きホースの外周面に巻き付け、該丸巻きホースを結束する消防用ホース結束具において、前記丸巻きホースの外周面に巻き付けられる帯紐形状を有した結束具本体と、該結束具本体の一端部に連結され、前記一方の結合金具に掛止される第１の金具掛止部材と、前記丸巻きホースの直径方向の外側から、該丸巻きホースのうち、一方の結合金具との連通部付近を介して、前記他方の結合金具に掛止される第２の金具掛止部材と、前記結束具本体に設けられ、前記一方の結合金具を、常時、前記丸巻きホースの巻き付け方向に引っ張る締め付け部材とを備え、前記結束具本体の一部には、前記丸巻きホースの外周部を該丸巻きホースの両側方から挟持可能な弾性変形しない環状の紐が設けられた消防用ホース結束具である。
【００２４】
請求項５に記載の発明によれば、丸巻きホースの外周面に結束具本体を巻き付け、第１の金具掛止部材を、外側配置された一方の結合金具に掛止する。また、第２の金具掛止部材を、丸巻きホースのうち、一方の結合金具との連通部付近を介して、丸巻きホースの直径方向の外側から他方の結合金具に掛止する。これにより、丸巻きホースへの結束具本体の巻き付け状態が保持される。このとき、締め付け部材の締め付け力により、一方の結合金具が、常時、第１の金具掛止部材を介して、丸巻きホースの巻き付け方向に引っ張られる。これにより、運搬時の振動などによりホースの巻き付け形状が崩れ難い。また、結束具本体は、締め付け部材により長さ可変に構成されているので、大径な丸巻きホースでも、小径な丸巻きホースでも良好に結束することができる。
【００２５】
第１の金具掛止部材および第２の金属掛止部材の素材は限定されない。例えばゴム、各種の合成樹脂、各種の金属、各種のセラミッスなどでもよい。
第１の金具掛止部材および第２の金属掛止部材の形状は限定されない。例えば環状でもよいし、棒状でもよい。環状の場合には、金属製のリング、硬質合成樹脂製のリング、木製のリング、セラミックス製のリングなどの剛体でもよい。
【００２６】
請求項６に記載の発明は、両端部に結合金具を有した消防用ホースを長さ方向の中間点付近から二重折りし、一方の結合金具を外側に配置し、他方の結合金具を内側に配置して巻き取った丸巻きホースの外周面に巻き付け、該丸巻きホースを結束する消防用ホース結束具において、前記丸巻きホースの外周面に巻き付けられる帯紐形状を有した結束具本体と、該結束具本体の一端部に連結され、前記一方の結合金具に掛止される第１の金具掛止部材と、前記丸巻きホースの直径方向の外側から、該丸巻きホースのうち、一方の結合金具との連通部付近を介して、前記他方の結合金具に掛止される第２の金具掛止部材と、
前記結束具本体に設けられ、前記一方の結合金具を、常時、前記丸巻きホースの巻き付け方向に引っ張る弾性部材とを備え、前記弾性部材は、前記丸巻きホースの外周部を、該丸巻きホースの両側方から挟持可能な輪ゴムである消防用ホース結束具である。
【００２７】
請求項６に記載の発明によれば、丸巻きホースの外周面に結束具本体を巻き付け、第１の金具掛止部材を、外側配置された一方の結合金具に掛止する。また、第２の金具掛止部材を、丸巻きホースのうち、一方の結合金具との連通部付近を介して、丸巻きホースの直径方向の外側から他方の結合金具に掛止する。これにより、丸巻きホースへの結束具本体の巻き付け状態が保持される。このとき、弾性部材の弾性力により、一方の結合金具が、常時、第１の金具掛止部材を介して、丸巻きホースの巻き付け方向に引っ張られる。これにより、運搬時の振動などによりホースの巻き付け形状が崩れ難い。また、結束具本体は、弾性部材により長さ可変に構成されているので、大径な丸巻きホースでも、小径な丸巻きホースでも良好に結束することができる。
【発明の効果】
【００２８】
請求項１に記載の発明によれば、結束具本体と、第１の係止部材と、第２の係止部材と、締め付け部材とを有する構成としたので、ホースの口径が異なる丸巻きホースに対応可能で、かつ運搬時の振動などによりホースの巻き付け形状が崩れ難い。
また、丸巻きホースの外周部を、丸巻きホースの両側方から、弾性変形しない環状の紐により挟持するので、運搬時の振動などに対してホースの巻き付け形状がさらに崩れ難いとともに、丸巻きホースの外周部の横崩れをさらに防ぐことができる。
【００２９】
請求項３に記載の発明によれば、結束具本体と、第１の係止部材と、第２の係止部材と、弾性部材とを有する構成としたので、ホースの口径が異なる丸巻きホースに対応可能で、かつ運搬時の振動などによりホースの巻き付け形状が崩れ難い。
また、丸巻きホースの外周部を、丸巻きホースの両側方から弾性部材により挟持するので、運搬時の振動などに対してホースの巻き付け形状がさらに崩れ難いとともに、丸巻きホースの外周部の横崩れをさらに防ぐことができる。
【００３０】
請求項５に記載の発明によれば、丸巻きホースの外周面に結束具本体を巻き付け、第１の金具掛止部材を一方の結合金具に掛止し、第２の金具掛止部材を丸巻きホースの直径方向の外側から他方の結合金具に掛止する。このとき、締め付け部材の締め付け力により、一方の結合金具が、常時、第１の金具掛止部材を介して、丸巻きホースの巻き付け方向に引っ張られる。これにより、運搬時の振動などでホースの巻き付け形状が崩れ難い。また、結束具本体は、締め付け部材により長さ可変であるので、大径な丸巻きホースでも、小径な丸巻きホースでも良好に結束することができる。
【００３１】
請求項６に記載の発明によれば、丸巻きホースの外周面に結束具本体を巻き付け、第１の金具掛止部材を一方の結合金具に掛止し、第２の金具掛止部材を丸巻きホースの直径方向の外側から他方の結合金具に掛止する。このとき、弾性部材の弾性力により、一方の結合金具が、常時、第１の金具掛止部材を介して、丸巻きホースの巻き付け方向に引っ張られる。これにより、運搬時の振動などでホースの巻き付け形状が崩れ難い。また、結束具本体は、弾性部材により長さ可変であるので、大径な丸巻きホースでも、小径な丸巻きホースでも良好に結束することができる。
【発明を実施するための最良の形態】
【００３２】
以下、この発明の実施例を図面を参照して説明する。
【実施例１】
【００３３】
図１〜図５において、１０はこの発明の実施例１に係る消防用ホース結束具で、この消防用ホース結束具１０は、一端部に雄側金具（他方の結合金具）１１、他端部に雌側金具（一方の結合金具）１２を有する消防用ホース１３を巻き取った二重巻きホース（丸巻きホース）１４の外周面に巻き付け、二重巻きホース１４を結束するものである。
消防用ホース結束具１０は、二重巻きホース１４の外周面に巻き付けられる帯形状を有した結束具本体１５と、結束具本体１５の一端部に連結されたバックル１６の雌側部（第１の係止部材）１７と、結束具本体１５の他端部に連結され、雌側部１７に係止されるバックル１６の雄側部（第２の係止部材）１８と、結束具本体１５に設けられ、二重巻きホース１４の外周面と連続する雌側金具１２を、常時、二重巻きホース１４の巻き付け方向に引っ張る短尺な第１の輪ゴム（弾性部材）１９と、結束具本体１５に設けられ、第１の輪ゴム１９に比べて弾性力が小さく、かつ二重巻きホース１４の外周部を両側方から挟持する長尺な第２の輪ゴム（弱弾性部材）２０とを備えている。なお、第１の輪ゴム１９と第２の輪ゴム２０とは同じ弾性力でもよい。
【００３４】
消防用ホース１３は、呼称口径５０ｍｍのゴム内張りホースである。雌側部１７は平面視して矩形状のケーシング形状を有し、雄側部１８は互いに離間した４本爪を有している。両側部１７，１８により、ワンタッチで係止状態を解除可能なプッシュ式の前記バックル１６が構成されている。なお、プッシュ式のバックル１６ではなく、図示しないプル式のバックルを採用してもよい。
【００３５】
結束具本体１５は、難燃性の合成繊維糸から織り上げられた帯（織布）である（図２）。これは、長尺な第１の部分本体２４と、短尺な第２の部分本体２５とから構成されている。第１の部分本体２４の一端部には、バックル１６の雄側部１８（第３の係止部材）が連結されている。第１の部分本体２４の他端部の表面には、雄側ファスナ部（第３の係止部材）２６が縫着されている。第１の部分本体２４の一端部付近には、雄側ファスナ部２６の雌側ファスナ部２７に対する係止操作の自由度を高め、かつ第１の部分本体２４の長さを調整するため、平面視して矩形状でかつ中間ピン２８ａが設けられた固定バックル２８が介在されている。固定バックル２８は、バックル１６への掛止状態で二重巻きホース１４の巻き付け方向に第１の部分本体２４を引っ張ることで、結束具本体１５の長さを調整可能な汎用タイプのバックル（リング）である。すなわち、固定バックル２８を利用し、第１の部分本体２４を二重巻きホース１４の巻き付け方向に引っ張って結束具本体１５の長さを短縮し、消防用ホース結束具１０Ｄによる二重巻きホース１４の巻き締め力を増大させることができる。
第２の部分本体２５の一端部には、バックル１６の雌側部１７が連結されている。また、第２の部分本体２５の他端部の裏面には、雌側ファスナ部（第４の係止部材）２７が縫着されている。雄側ファスナ部２６と雌側ファスナ部２７とにより、面状ファスナ２９が構成されている。
【００３６】
第１の輪ゴム１９は、第２の部分本体２５の長さ方向の略中間部に介在され、第２の輪ゴム２０は、第１の部分本体２４の雄側ファスナ部２６の形成部付近に介在されている（図２，図３）。具体的な両輪ゴム１９，２０の介在方法は、まず両部分本体２４，２５を、対応する輪ゴム１９，２０の介在部分でそれぞれ切断する。次に、各切断部分に環状のゴム挿通孔１９ａ，２０ａをそれぞれ形成する。その後、第１の部分本体２４にあっては、対応するゴム挿通孔２０ａ間に第２の輪ゴム２０が挿通される。一方、第２の部分本体２５にあっては、対応するゴム挿通孔１９ａ間に第１の輪ゴム１９が挿通される。また、ホース結束時において、両輪ゴム１９，２０は二重巻きホース１４の外周部の互いに離間した部分を両側方からそれぞれ挟持するように構成されている。
【００３７】
なお、環状の両輪ゴム１９，２０に代えて、梯子形状を有する第１の梯子輪ゴム１９Ａ、第２の梯子輪ゴム２０Ａを採用してもよい（図４）。これにより、両輪ゴム１９Ａ，２０Ａにより二重巻きホース１４の外周部を挟持した際、両輪ゴム１９Ａ，２０Ａのうち、二重巻きホース１４の側方に張り出した部分を、ホース直径方向の中心側に過剰に入り込まないようにすることができる。入り込み過ぎると、ホース延長時、両輪ゴム１９Ａ，２０Ａのホース直径方向の中心側に入り込み過ぎた部分が二重巻きホース１４に引っ掛かり、二重巻きホース１４のスムーズな延長ができなくなるおそれがある。
【００３８】
次に、実施例１の消防用ホース結束具１０の使用方法を説明する。
図１〜図４に示すように、二重巻きホース１４の結束時には、まず二つ折りにした消防用ホース１３を巻き取り、二重巻きホース１４を作製する。一方、バックル１６の雄側部１８と雌側部１７とを係止し、両部分本体２４，２５を連結して結束具本体１５を組み立てる。次に、軸線（巻芯）方向を水平にした縦置き状態の二重巻きホース１４の外周面に、結束具本体１５を巻き付ける。その後、雄側ファスナ部２６と雌側ファスナ部２７とを係止する。
このとき、係止された面状ファスナ２９は雌側金具１２を上方から被い、この状態のまま、第１の輪ゴム１９は、二重巻きホース１４の外周面と連続する雌側金具１２より二重巻きホース１４の巻き付け側に配置される。また、第２の輪ゴム２０は、雌側金具１２より二重巻きホース１４の巻き付け側とは反対側に配置される。さらに、両輪ゴム１９，２０は、二重巻きホース１４の外周部の離間した部分を両側方からそれぞれ挟持する。これにより、二重巻きホース１４の外周部の横崩れを防止することができる。なお、結束具本体１５は、二重巻きホース１４に対して、その直径方向に巻き付けて掛止することもできる（図２０参照）。この場合、面状ファスナ２９は、雌側金具１２の長さ方向に直交した状態で、この雌側金具１２を上方から被うように配置される。
【００３９】
バックル係止時には、第１の輪ゴム１９の弾性力に抗して、バックル１６の雌側部１７を二重巻きホース１４の巻き付け方向に引っ張りながら、雄側部１８と雌側部１７とを係止する。これにより、雌側金具１２は二重巻きホース１４の巻き付け方向に強制的に引かれた状態でホース外周面上で位置決めされる。その結果、消防車の走行振動などにより、二重巻きホース１４の巻き付け形状が崩れ難い。また、結束具本体１５は、両輪ゴム１９，２０により伸縮可能に構成されている。そのため、大径な二重巻きホース１４（例えば呼称口径６５ｍｍ）でも、小径な二重巻きホース１４（例えば呼称口径４０ｍｍ）でも、良好に結束することができる。
【００４０】
次に、図５を参照して、結束された二重巻きホース１４の延長方法を説明する。
まず、消防士は両足をホース延長方向に開き、若干前傾姿勢をとる。次に、例えば右手で雄側金具１１と雌側金具１２とを上方から掴むとともに、左手の親指と人差し指とで、側方からバックル１６の雌側部１７の両切欠部１７ａより露出した１対の解除突起１８ａを握る（図５（ａ））。
その後、両膝で反動をつけながら、両腕をホース延長方向（前方）に振り出す。このとき、両解除突起１８ａを両指先でバックル内側にそれぞれ押し込む。これにより、バックル１６の係止状態が解除され（図５（ｂ））、二重巻きホース１４はその堅固な巻き取り状態が外周側から解かれながら、前下方向に放り出される。地面に設置した二重巻きホース１４は、路面を転動しつつ一気に延長される（図５（ｃ））。
【００４１】
このように、結束具本体１５を環状に連結する第１の係止部材と第２の係止部材として、プッシュ式のバックル１６を採用したので、片手でもバックル１６の係止状態を解除することができる。その結果、立ち姿勢のまま二重巻きホース１４を投下して路面上を転動させるとで、二重巻きホース１４を迅速に延長することができる。よって、ホース延長時において、消防士は下向きの屈み込み姿勢をとる必要がない。そのため、従来のように防火ヘルメットのしころが消防士の視界を狭めることもなく、周辺の安全を十分に確認することができる。しかも、重い呼吸器などの器材を装着している場合でも、屈み込み姿勢はとらないことから腰への負担が軽減し、消火作業中の怪我の発生を低減させることができる。
【００４２】
なお、消防用ホース結束具１０は、バックル１６の掛止状態を解除した後、従来と同じような操作で延長してもよい。すなわち、まず消防士が屈み込み、地面に二重巻きホース１４を載置し、二重巻きホース１４の雌側金具付近を片足で踏む。この状態のまま、消防士は両手で雄側金具付近を握り、その後、上体を後ろに反らすように雄側金具１１を一気に引き上げ、二重巻きホース１４を前方に押し出す。こうして、二重巻きホース１４は、地面を転がりながら延長される。なお、この従来法によるホース延長は、全ての実施例の消防用ホース結束具に適用することができる。
また、結束具本体１５を両部分本体２４，２５によって組み立て可能に構成したので、両輪ゴム１９，２０による結束具本体１５の伸縮だけでは対応できないほど、長さが異なる二重巻きホース１４の場合でも、所定数の部分本体を追加して組み合わせることで対処が可能になる。また、綴れ折り状態の図示しない島田折りホースにも対応することができる。
【００４３】
さらに、ホース結束時には、このように弾性力の大きい第１の輪ゴム１９が、二重巻きホース１４の外周面と連続する雌側金具１２より二重巻きホース１４の巻き付け側に配置される一方、雌側金具１２を中心として二重巻きホース１４の巻き付け側とは反対側に、弾性力が小さい第２の輪ゴム２０が配置される。しかも、両輪ゴム１９，２０が、二重巻きホース１４の外周部を両側方から挟持するので、消防車の走行振動などに対して二重巻きホース１４の巻き付け形状がさらに崩れ難くなるとともに、二重巻きホース１４の外周部の横崩れもより以上に防ぐことができる。
【実施例２】
【００４４】
次に、図６〜図８を参照し、この発明の実施例２の消防用ホース結束具を説明する。
図６〜図８に示すように、実施例２の消防用ホース結束具１０Ａは、第１の係止部材としてバックル３０の雌側部３１を採用し、第２の係止部材として、雌側部３１に係止可能な１対の部分雄側部３２を採用した例である。また、図示しないが実施例２におけるバックル１６の雌側部１７と雄側部１８とは、実施例１とは形状が異なる１対の部分本体２４，２５同士を着脱自在に連結する第３の係止部材または第４の係止部材となる。
【００４５】
以下、これらの構成部品を詳細に説明する。
雌側部３１は、平面視して矩形状のケーシング形状を有している。雌側部３１の両側板の先端部分には、平面視した状態で雌側部３１の中央部に向かう係止孔３１ａがそれぞれ形成されている。両係止孔３１ａには、対応する部分雄側部３２の係止リング２３Ａがそれぞれ抜き差しされる。各係止リング２３Ａは平面視して略矩形状を有し、部分雄側部３２の先端部にそれぞれ突設されている。両係止リング２３Ａの中央部には、係止穴２３ａがそれぞれ形成されている。各部分雄側部３２は、切断されて１本の紐状となった第１の輪ゴム１９Ｂの両端部にそれぞれ固着されている。
【００４６】
雌側部３１の前板の外面には、ホース結束時に雌側金具１２の開口部の鍔部分に押し当てられ、雌側部３１の横滑りなどを防止する滑り止め材３３が固着されている。滑り止め材３３はゴム製である。雌側部３１の上板の元部には、平面視して略正方形の開口部３１ｂが形成されている。開口部３１ｂには、プッシュ式の係止解除操作ボタン２２が上下動可能に収納されている。雌側部３１内には、平面視して矩形状の昇降板３４が、雌側部３１の底面と平行状態を保って昇降自在に収納されている。昇降板３４の一端部の上面には、係止解除操作ボタン２２が固着されている。
【００４７】
昇降板３４の元部と、雌側部３１の元部の底板との間には、昇降板３４を常時上板側に付勢する大径なコイルばね３５が設けられている。コイルばね３５の付勢力により昇降板３４が押し上げられ、係止解除操作ボタン２２が開口部３１ｂから外方（上方）に突出する。雌側部３１の前板の内面および後板の内面のうち、それぞれの高さ方向の中間部には、昇降板３４の上昇を規制する１対のストッパ３１ｃがそれぞれ設けられている。両ストッパ３１ｃにより、コイルばね３５による昇降板３４の上昇が規制される。
【００４８】
昇降板３４の先端部には、その幅方向の両側部分に貫通孔３４ａがそれぞれ形成されている。両貫通孔３４ａは、平面視して矩形状でかつ平面視して昇降板３４の中央部に向かって傾めに形成されている。両貫通孔３４ａには、各部分雄側部３２の係止穴２３ａに係止される１対の係止突起３６が昇降自在に収納されている。両係止突起３６は、昇降板３４の裏側に配置され、対応する貫通孔３４ａより大きい１対の突起固定板３７の上面にそれぞれ固定されている。
両突起固定板３７と、雌側部３１の底板との間には、両係止突起３６の上部を、対応する貫通孔３４ａを通して、常時、昇降板３４より上方に付勢する小径なコイルばね３８がそれぞれ設けられている。したがって、両係止突起３６は、小径なコイルばね３８のばね力に抗して、昇降板３４とは別個に単独で昇降可能となっている。一方、両コイルばね３５，３８のばね力に抗して係止解除操作ボタン２２を押し下げると昇降板３４は下がる。このとき、両突起固定板３７は、対応する貫通孔３４ａより大きいので、昇降板３４の押し下げに伴い、突起固定板３７を介して、両係止突起３６がそれぞれ押し下げられる。
【００４９】
次に、図６〜図８を参照して、実施例２の消防用ホース結束具１０Ａによる結束された二重巻きホース１４の延長方法を説明する。
まず、消防士は雄側金具１１と雌側金具１２とを上向きにし、バックル３０の雌側部３１を雌側金具１２の上方に配置する。このとき、第１の輪ゴム１９Ｂは、雌側金具１２より二重巻きホース１４の巻き付け方向に配置する。その後、第１の輪ゴム１９Ｂを引き延ばしながら、両部分雄側部３２を、対応する係止孔３１ａを通して雌側部３１内にそれぞれ斜めに挿入する。これにより、両係止穴２３ａを介して、両部分雄側部３２が各係止突起３６にそれぞれ係止される。こうして、バックル３０が連結される。
【００５０】
ホース延長時には、まずバックル３０と雄側金具１１と雌側金具１２とを片手で同時に上方から握る。その後、握った方の腕を振り出しながら、その手の指先で係止解除操作ボタン２２を押し込む。これにより、両コイルばね３５，３８のばね力に抗して昇降板３４と両突起固定板３７とが同時に押し下げられ、１対の部分雄側部３２と雌側部３１との係止状態が解除される。そのため、このように雌側金具１２の上方でバックル３０が係止された場合でも、係止解除された両部分雄側部３２が、雌側金具１２の開口部の鍔部分に引っ掛かり、二重巻きホース１４を延長できなくなるというおそれが解消される。その結果、立ち姿勢のまま片手でも安全、確実かつ迅速にホースを延長することができる。よって、２本の二重巻きホース１４をそれぞれ片手で１本ずつ握り、これらを同時に延長することも可能になる。
その他の構成、作用および効果は、実施例１から推測できる範囲であるので説明を省略する。
【実施例３】
【００５１】
次に、図９〜図１１を参照し、この発明の実施例３の消防用ホース結束具を説明する。
図９〜図１１に示すように、実施例３の消防用ホース結束具１０Ｅでは、着脱自在なバックル１６に代えて、連結リング１６Ａを採用している。また、第１の輪ゴム１９と、第２の輪ゴム２０とを着脱自在に連結する面状ファスナ２９に代えて、特殊な構造を有した面状ファスナ連結構造体２９Ａを採用している。
【００５２】
面状ファスナ連結構造体２９Ａは、短冊形状の合成樹脂製のベース板４０を有している。ベース板４０の上面には、布製の下帯片４１が固着されている。下帯片４１の長さ方向の中間部には、１対の小リング４２ａが両端部に形成されたリング金具４２が埋め込まれている。両小リング４２ａは、下帯片４１の幅方向の両端からそれぞれ突出している。下帯片４１の上面の略全域には、雄側ファスナ部４３が固着されている。
下帯片４１の元部は、幅は下帯片４１と同じで、かつ下帯片４１の略３倍の長さを有する上帯片４４のうち、先端から略３分の１の長さ位置に縫着されている。上帯片４４の下帯片４１と重なる先端から略３分の１までの部分の裏面には、その略全域に雌側ファスナ部４５が固着されている。また、上帯片４４の元端から略３分の１の長さ位置までの部分は、上方に折り返した折り返し片部４６となっている。この折り返し片部４６の裏面には、その略全域に雄側ファスナ部４７が固着されている。上帯片４４と折り返し片部４７との連結部分には、第２の輪ゴム２０の一部が挟み込まれる。これにより、上帯片４４が第２の輪ゴム２０に対して着脱自在に連結される。
【００５３】
また、上帯片４４の上面のうち、折り返し片部４６と重なる部分には、その略全域に雌側ファスナ部４８が固着されている。また、上帯片４４の雌側ファスナ部４５の固着範囲の略長さ方向の中間部には、楔形ピン４９が、その長さ方向の両端部を上帯片４４の幅方向の両辺からそれぞれ突出させた状態で埋め込まれている。楔形ピン４９の両端部は、それぞれ雌側ファスナ部４５側に下側に屈曲されている。これらの屈曲部が、上帯片４４と下帯片４１とを重ね合わせた際、対応する小リング４２ａにそれぞれ掛止される１対のピン突起４９ａとなる。両小リング４２ａに両ピン突起４９ａを掛止するとき、予め第１の輪ゴム１９の先端部を、雌側金具１２の消防用ホース１３との連結部付近の下部（雌側金具１２と消防用ホース１３との隙間）に配置し、その後、第１の輪ゴム１９の先端部付近の両側をリング金具４２にそれぞれ引っ掛けておく（図１１）。こうすれば、一端が第２の輪ゴム２０に連結された面状ファスナ連結構造体２９Ａが、第１の輪ゴム１９に掛止される（図１０）。
【００５４】
次に、この発明の実施例３の消防用ホース結束具１０Ｅの使用方法を説明する。
ホース結束時には、結束具本体１５を二重巻きホース１４の外周面に巻き付け、雌側金具１２の外周面の上端部に、面状ファスナ連結構造体２９Ａを配置する。このとき、ベース板４０の先端を雌側金具１２の大径な金口部の元縁部に当接して、面状ファスナ連結構造体２９Ａを位置決めする。
次に、第１の輪ゴム１９の一部をリング金具４２の両端部に引っ掛け、下帯片４１と上帯片４４とを重ね合わせる。これにより、第１の輪ゴム１９の一部を両帯片４１，４４間に挟み込んで、両ピン突起４９ａが、対応する小リング４２ａにそれぞれ掛止される。この状態は、雄側ファスナ部４３と雌側ファスナ部４５との係止により維持される。こうして、消防用ホース結束具１０Ｅにより二重巻きホース１４がしっかりと締結される。
【００５５】
ホース結束解除時には、上帯片４４の先端部を握って引き上げることで、雄側ファスナ部４３と雌側ファスナ部４５との係止状態が解除され、上帯片４４の先部が、下帯片４１から引き剥がされる。このとき、両小リング４２ａから両ピン突起４９ａがそれぞれ抜け、その際の振動により第１の輪ゴム１９の先端部が両小リング４２ａから離脱する。これにより、第１の輪ゴム１９を面状ファスナ連結構造体２９Ａから、ほとんど抵抗なく取り外すことができる。
実施例３のその他の構成、作用、効果は、実施例２から推測できる範囲であるので説明を省略する。
【実施例４】
【００５６】
次に、図１２および図１３を参照し、この発明の実施例４の消防用ホース結束具を説明する。
図１２に示すように、実施例４の消防用ホース結束具１０Ｆでは、布ベルト製の結束具本体１５に代えて、無端紐（輪ゴム）からなる結束具本体１５Ａを採用している。ゴム製の結束具本体１５Ａが、雌側金具１２を、常時、二重巻きホース１４の巻き付け方向に引っ張る弾性部材を兼用している。
また、結束具本体１５Ａの対向部間には、結束具本体１５Ａ（紐）の長さ方向に移動可能な紐間掛止具５０が、合計４つ配設されている。各紐間係止具５０は、正面視して矩形状を有した厚地の布片で、幅方向の両端部に紐通し孔部５１がそれぞれ一体的に設けられている。結束具本体１５Ａの一端部には、雄側ファスナ部２６の元部が連結され、結束具本体１５Ａの他端部には、雌側ファスナ部２７の元部が連結されている。
【００５７】
ホース結束時には、まず結束具本体１５Ａの一端部を雌側金具１２に引っ掛け、この状態で結束具本体１５Ａを二重巻きホース１４の外周面に巻き付ける。その後、雌側金具１２の上方で雄側ファスナ部２６と雌側ファスナ部２７とを係止する。これにより、二重巻きホース１４が消防用ホース結束具１０Ｆにより外周方向からの締め付け力により結束される。
その際、紐間掛止具５０を結束具本体１５Ａの長さ方向に移動することで、二重巻きホース１４の結束力を調整することができる。すなわち、紐間掛止具５０は、締め付け部材を兼用する。しかも、この紐間掛止具５０の結束具本体１５Ａの長さ方向への移動により、消防用ホース結束具１０Ｆによる二重巻きホース１４の結束形状を任意に変更することができる（例えば図１３（ａ）、図１３（ｂ））。
実施例４のその他の構成、作用、効果は、実施例１から推測できる範囲であるので説明を省略する。
【００５８】
次に、図１４および図１５を参照し、この発明の参考例の消防用ホース結束具を説明する。
図１４および図１５に示すように、参考例の消防用ホース結束具１０Ｇでは、結束具本体１５Ａを、１対の紐間掛止具５０により連結された無端紐（輪ゴム）からなる２本の小径な部分結束具本体１５Ｂにより構成している。結束具本体１５Ａを短くする場合には、部分結束具本体１５Ｂの連結用の両紐間掛止具５０を互いに離反する方向に移動させる。また、結束具本体１５Ａを長くする場合には、これらの紐間掛止具５０を互いに近接する方向に移動させる。また、これらの紐間掛止具５０を結束具本体１５Ａの長さ方向に移動させることで、消防用ホース結束具１０Ｆによる二重巻きホース１４の結束形状をさらに多様化することができる。その１例として、周方向の結束状態において、紐間掛止具５０をホースの直径方向に移動することで、ホース直径方向からの結束と同じ結束状態が得られる。
参考例のその他の構成、作用、効果は、実施例４から推測できる範囲であるので説明を省略する。
【実施例５】
【００５９】
次に、図１６および図１７を参照し、この発明の実施例５の消防用ホース結束具を説明する。
図１６および図１７に示すように、実施例５の消防用ホース結束具１０Ｈでは、結束具本体１５Ｃとして、布ベルトの片面の全域に雌側ファスナ部５２が固着されたものを採用している。結束具本体１５Ｃの両端には、紐間掛止具５０Ａがそれぞれ固着されている。また、結束具本体１５Ｃの両側部には、前記１対の紐間掛止具５０が結束具本体１５Ｃの長さ方向に移動可能にそれぞれ挿通されている。両紐間掛止具５０には、互いの対向する端部側に雄側ファスナ部５３の元部が固着されている。２対の紐間掛止具５０は、各紐通し孔部５１の長さ方向が結束具本体１５Ｃの長さ方向に向けられて配置されている。
【００６０】
第１の輪ゴム（第１の金具掛止部材）１９Ａは一箇所で切断されている。その切断された両端部が、一方の固定側の紐間掛止具５０Ａの紐通し孔部５１を通過し、一方の移動側の紐間掛止具５０の紐通し孔部５１に挿通されてそれぞれ固着されている。また、第２の輪ゴム（第１の金具掛止部材）２０Ａも同じように一箇所で切断されている。この切断された両端部が、他方の固定側の紐間掛止具５０の紐通し孔部５１を通過し、他方の移動側の紐間掛止具５０Ａの紐通し孔部５１に挿通されてそれぞれ固着されている。第１の輪ゴム１９Ａおよび第２の輪ゴム２０Ａは、弾性変形しない単なる紐でもよい。
【００６１】
次に、実施例５の消防用ホース結束具１０Ｈの使用方法を説明する。
二重巻きホース１４の外周面に結束具本体１５Ｃを巻き付け、第１の輪ゴム１９Ａを、雌側金具１２に掛止する。また、第２の輪ゴム２０Ａを、二重巻きホース１４のうち、雌側金具１２との連通部付近に引っ掛ける。二重巻きホース１４は内周壁にゴム引きされた布ホースである。そのため、第２の輪ゴム２０Ａの強靱な結束力により、この第２の輪ゴム２０Ａが当接されたホースの一部分が偏平となる。その結果、このように二重巻きホース１４を間に介在させても、雄側金具１１に対して、二重巻きホース１４の直径方向の外側から、第２の輪ゴム２０Ａをしっかりと掛止することができる。
【００６２】
ホースの結束力を高めたい場合には、片方の雄側ファスナ部５３だけ、または両方の雄側ファスナ部５３を、結束具本体１５Ｃの長さ方向の中間部側に引っ張る。これにより、対応する第１の輪ゴム１９Ａまたは第２の輪ゴム２０Ａが小径化し、消防用ホース結束具１０Ｈの長さが短くなる。その結果、消防用ホース結束具１０Ｈによる結束力が増加する。こうして短縮された消防用ホース結束具１０Ｈは、雄側ファスナ部５３を雌側ファスナ部５２に係止することでその形状が維持される。
【００６３】
このように、両輪ゴム１９Ａ、２０Ａをゴム製の無端紐としたので、消防用ホース結束具１０Ｈの構造が簡素化し、低コスト化が図れる。
また、第２の輪ゴム２０Ａは、二重巻きホース１４のうちの雌側金具１２との連通部付近を介して、二重巻きホース１４の直径方向の外側から雄側金具１１に掛止するようにしたので、第２の金具掛止部材が単なる輪ゴムであっても、ホース結束時、第２の輪ゴム２０Ａが雄側金具１１から簡単に外れ難い。
実施例５のその他の構成、作用、効果は、実施例４から推測できる範囲であるので説明を省略する。
【実施例６】
【００６４】
次に、図１８を参照し、この発明の実施例６の消防用ホース結束具を説明する。
図１８に示すように、実施例１０の消防用ホース結束具１０Ｉでは、結束具本体１５として、実施例５の場合と同じように、両端部付近に固定式のバックル１６Ａが配設された布ベルトを採用している。また、第２の輪ゴム２０Ａには、切断箇所が存在しない輪ゴムを採用している。さらに、第１の輪ゴム１９Ａとしては、その切断位置が雌側金具１２の掛止部分で、しかも第１の輪ゴム１９Ａの切断された一端部に、短尺な雄側ファスナ部５４の元部が固着されている。また、第１の輪ゴム１９Ａの切断された他端部に、短尺な雌側ファスナ部５５の元部が固着されている。
【００６５】
次に、実施例６の消防用ホース結束具１０Ｉの使用方法を説明する。
ホース結束時には、予め雄側ファスナ部５４と雌側ファスナ部５５とを係止し、第１の輪ゴム１９Ａを無端形状のものとしておく。
その後、二重巻きホース１４の外周面に結束具本体１５を巻き付け、第１の輪ゴム１９Ａを、雌側金具１２に掛止する。また、第２の輪ゴム２０Ａを、二重巻きホース１４のうち、雌側金具１２との連通部付近に引っ掛ける。
ホース結束解除時には、雄側ファスナ部５４と雌側ファスナ部５５との係止状態を解除することで、消防用ホース結束具１０Ｉによる二重巻きホース１４の結束状態が簡単かつすばやく解除することができる。
実施例６のその他の構成、作用、効果は、実施例５から推測できる範囲であるので説明を省略する。
【００６６】
次に、図１９〜図２４を参照し、この発明の別の参考例の消防用ホース結束具を説明する。
図１９に示すように、別の参考例の消防用ホース結束具１０Ｊでは、結束具本体１５を、同じ直径の輪ゴムである１対の部分結束具本体１５Ｄから構成している。両部分結束具本体１５Ｄの一方の端部同士は、雄側ファスナ部５６により連結されている。また、両部分結束具本体１５の他方の端部同士は、雌側ファスナ部５７により連結されている。そして、一方の部分結束具本体１５Ｄには、部分結束具本体１５Ｄの長さ方向に移動可能な４個のＳ字フック５８が配設されている。これらのＳ字フック５８は、例えば上下配置された雄側ファスナ部５６と雌側ファスナ部５７とを結ぶ仮想線を中心として、一方の部分結束具本体１５Ｄの右側と、一方の部分結束具本体１５Ｄの左側とにそれぞれ２個ずつ配置されている。
【００６７】
次に、別の参考例の消防用ホース結束具１０Ｊの使用方法を説明する。
ホース直径方向からの結束時には、まず結束具本体１５をゴムの弾性力に抗して内側から外方に引き伸ばし、この状態のまま、結束具本体１５の内部空間に二重巻きホース１４を押し込むか、その反対に二重巻きホース１４に結束具本体１５を外方から挿着する。これにより、消防用ホース結束具１０Ｊにより、二重巻きホース１４がホース直径方向から結束される（図２５）。
【００６８】
結束力を高めたい場合には、図２０中の左側の部分結束具本体１５Ｄと右側の部分結束具本体１５Ｄとにおいて、まず下側に配置された両Ｓ字フック５８をそれぞれ二重巻きホース１４の外周面の底部に移動し、互いに掛止する。その後、上側に配置された１対のＳ字フック５８の一方は、左側方に張り出された前記左側の部分結束具本体１５Ｄの端部同士を掛止する。さらに、上側に配置された残りのＳ字フック５８は、右側方に張り出された前記右側の部分結束具本体１５Ｄの端部同士を掛止する（図２１、図２２）。これにより、二重巻きホース１４が消防用ホース結束具１０Ｊにより堅固に結束される。
別の参考例の消防用ホース結束具１０Ｊは、二重巻きホース１４をその外周方向から結束することも可能である。
【００６９】
また、図２３（ａ）、図２３（ｂ）および図２４（ａ）、図２４（ｂ）には、消防用ホース結束具１０Ｊによる二重巻きホース１４の他の結束形状（結束方法）を示す。具体的には、略逆向きホームベース形の結束（図２３（ａ））、三方放射形の結束（図２３（ｂ））、マジックハンド形の結束（図２４（ａ））、つり下げ提灯形の結束（図２４（ｂ））である。
なお、図２３（ａ）、図２４（ａ）、図２４（ｂ）の消防用ホース結束具１０Ｊでは、二重巻きホース１４の表面側および裏面側において、対応する部分結束具本体１５Ｄを絞る前記紐間掛止具５０が１対または２対使用されている。
また、図２３（ｂ）の消防用ホース結束具１０Ｊでは、両部分結束具本体１５Ｄを周方向に１２０度ごとの放射状に配置する三叉の紐間掛止具５９が１対使用されている。
別の参考例のその他の構成、作用、効果は、実施例６から推測できる範囲であるので説明を省略する。
【図面の簡単な説明】
【００７０】
【図１】この発明の実施例１に係る消防用ホース結束具のホース結束状態を示す斜視図である。
【図２】この発明の実施例１に係る消防用ホース結束具の展開状態を示す平面図である。
【図３】この発明の実施例１に係る消防用ホース結束具の分解状態を示す平面図である。
【図４】この発明の実施例１に係る弱消防用ホース結束具のホース結束状態を示す斜視図である。
【図５】（ａ）〜（ｃ）は、この発明の実施例１に係る消防用ホース結束具による一連のホース延長作業を示す正面図である。
【図６】この発明の実施例２に係る消防用ホース結束具のホース結束解除状態を示す要部平面図である。
【図７】この発明の実施例２に係る消防用ホース結束具の要部拡大断面図である。
【図８】この発明の実施例２に係る消防用ホース結束具の使用状態を示す要部拡大側面図である。
【図９】この発明の実施例３に係る消防用ホース結束具のホース結束状態を示す斜視図である。
【図１０】この発明の実施例３に係る消防用ホース結束具のホース結束状態を示す要部拡大斜視図である。
【図１１】この発明の実施例３に係る消防用ホース結束具のホース結束解除状態を示す要部拡大斜視図である。
【図１２】この発明の実施例４に係る消防用ホース結束具のホース結束状態を示す斜視図である。
【図１３】（ａ）、（ｂ）は、この発明の実施例４に係る消防用ホース結束具の他の結束形状を示す概略正面図である。
【図１４】この発明の参考例に係る消防用ホース結束具のホース結束状態を示す斜視図である。
【図１５】この発明の参考例に係る消防用ホース結束具の展開図である。
【図１６】この発明の実施例５に係る消防用ホース結束具のホース結束状態を示す斜視図である。
【図１７】この発明の実施例５に係る消防用ホース結束具の展開図である。
【図１８】この発明の実施例６に係る消防用ホース結束具のホース結束状態を示す斜視図である。
【図１９】この発明の別の参考例に係る消防用ホース結束具の斜視図である。
【図２０】この発明の別の参考例に係る消防用ホース結束具のホース結束状態を示す正面図である。
【図２１】この発明の別の参考例に係る消防用ホース結束具の他のホース結束状態を示す正面図である。
【図２２】この発明の別の参考例に係る消防用ホース結束具の他のホース結束状態を示す側面図である。
【図２３】（ａ）、（ｂ）は、この発明の別の参考例に係る消防用ホース結束具の別のホース結束状態を示す概略正面図である。
【図２４】（ａ）、（ｂ）は、この発明の別の参考例に係る消防用ホース結束具のさらに別のホース結束状態を示す概略正面図である。
【符号の説明】
【００７１】
１０，１０Ａ〜１０Ｊ  消防用ホース結束具、
１１  雄側金具（結合金具）、
１２  雌側金具（結合金具）、
１３  消防用ホース、
１４  二重巻きホース（丸巻きホース）、
１５，１５Ａ，１５Ｃ  結束具本体、
１６，３０  バックル、
１７，３１，３１Ａ，３１Ｂ  雌側部（第１の係止部材）、
１８，３２，３２Ａ，３２Ｂ  雄側部（第２の係止部材）、
１９  第１の輪ゴム（弾性部材）、
１９Ａ  第１の輪ゴム（第１の金具掛止部材）、
２０  第２の輪ゴム（弱弾性部材）、
２０Ａ  第２の輪ゴム（第２の金具掛止部材）、
２４  第１の部分本体、
２５  第２の部分本体、
２６  雄側ファスナ部（第３の係止部材）、
２７  雌側ファスナ部（第４の係止部材）。
５０  紐間掛止具（締め付け部材）、
【図１】
0003713269.tif 000002
【図２】
0003713269.tif 000003
【図３】
0003713269.tif 000004
【図４】
0003713269.tif 000005
【図５】
0003713269.tif 000006
【図６】
0003713269.tif 000007
【図７】
0003713269.tif 000008
【図８】
0003713269.tif 000009
【図９】
0003713269.tif 000010
【図１０】
0003713269.tif 000011
【図１１】
0003713269.tif 000012
【図１２】
0003713269.tif 000013
【図１３】
0003713269.tif 000014
【図１４】
0003713269.tif 000015
【図１５】
0003713269.tif 000016
【図１６】
0003713269.tif 000017
【図１７】
0003713269.tif 000018
【図１８】
0003713269.tif 000019
【図１９】
0003713269.tif 000020
【図２０】
0003713269.tif 000021
【図２１】
0003713269.tif 000022
【図２２】
0003713269.tif 000023
【図２３】
0003713269.tif 000024
【図２４】
0003713269.tif 000025